(57)【特許請求の範囲】
【請求項１】
リン酸二水素塩と有機酸と水とを少なくとも含む皮膚紋理検出前処理剤。
【請求項２】
前記リン酸二水素塩は、リン酸二水素ナトリウム、リン酸二水素カリウム、リン酸二水素アンモニウム、ピロリン酸二水素二ナトリウム、ピロリン酸二水素二カリウム及びピロリン酸二水素二アンモニウムからなる群より選ばれた少なくとも１種の化合物であることを特徴とする請求項１に記載の皮膚紋理検出前処理剤。
【請求項３】
前記有機酸が、シュウ酸、クエン酸、酒石酸及びグルコン酸からなる群より選ばれた少なくとも１種の化合物であることを特徴とする請求項１又２に記載の皮膚紋理検出前処理剤。
【請求項４】
請求項１〜３のいずれか１項に記載の皮膚紋理検出前処理剤を用いた皮膚紋理検出方法であって、前記皮膚紋理検出前処理剤を検体表面に接触させる工程と、低次酸化チタン粉体と非イオン性界面活性剤と酸性物質とを少なくとも含み酸性を呈する皮膚紋理検出剤を検体表面に接触させる工程とを含むことを特徴とする皮膚紋理検出方法。
【請求項５】
前記酸性物質として有機酸を用いることを特徴とする請求項４記載の皮膚紋理検出方法。
【請求項６】
前記有機酸として、シュウ酸、クエン酸、酒石酸及びグルコン酸からなる群より選ばれた少なくとも１種の化合物を用いることを特徴とする請求項５記載の皮膚紋理検方法。
【発明の詳細な説明】
【技術分野】
【０００１】
本発明は、指紋、掌紋及び足紋等の皮膚紋理を検出するための皮膚紋理検出前処理剤及び皮膚紋理検出方法に関する。
【背景技術】
【０００２】
皮膚紋理とは、指紋、掌紋、及び足紋等の無毛皮の指先、掌及び足裏に存在する皮膚の皺、又はこの皺の紋様が対象物に付着した跡のことをいう。この皺は皮膚の中にある汗腺の開口部の盛り上がりが連なって形成されたものであり、汗腺から分泌された汗や油分等により跡が構成される。汗腺の位置は個人によって異なるため、指紋をはじめとして、皮膚紋理は古くから個人識別の根拠として利用され、犯罪捜査などに用いられている。
【０００３】
皮膚紋理の検出にあたっては、付着してからあまり時間が経過しておらず、乾燥した滑らかな表面に付着している皮膚紋理は比較的検出されやすい。一方、水や雨等により濡れている表面に付着している皮膚紋理又は付着してから年月が経過した皮膚紋理等は、検出が困難であるとされている。そこで、これらの皮膚紋理を検出するための技術について、研究が進められている。
【０００４】
特許文献１には、鮮明に指紋を得るためにＨＬＢ（親水親油平衡）値が１０〜２０の界面活性剤と雲母チタン等の粉体とを水性溶媒に溶解分散させた指紋採取用液が記載されている。
【０００５】
特許文献２には、従来採取が困難であった物品表面からより鮮明に指紋を採取するために、板状酸化チタン等の板状粉体をフッ素シリコーンで処理してなる指紋採取用粉体が記載されている。
【０００６】
特許文献３には、明瞭な皮膚紋理を検出するために、低次酸化チタン粉体と非イオン性界面活性剤と酸性物質とを分散させて得られた皮膚紋理検出剤が記載されている。
【先行技術文献】
【特許文献】
【０００７】
【特許文献１】特開２００５−２７９８６号公報
【特許文献２】特開２００４−２２３０２９号公報
【特許文献３】特許第４５６０５８６号明細書
【発明の概要】
【発明が解決しようとする課題】
【０００８】
しかしながら、特許文献１の指紋採取溶液は、粉体としては雲母チタンが適していることが記載されているが、雲母（マイカ）を酸化チタンでコーティングした雲母チタンでは、酸化チタンの表面状態が親水性であるため、粉体と指紋に含まれる油分との付着が弱く、年月が経過する等して指紋の油分が僅かとなった場合には、明瞭な指紋を検出することが困難であった。また、指紋が白色で検出されることから、視認性が悪いという問題があった。
【０００９】
また、特許文献２に記載された指紋採取用粉体は、板状の酸化チタン粉体やチタンブラック粉体等に撥水性物質であるフッ素シリコーンを加えて混合し、これらの粉体の表面に撥水加工を施すことによって得られる。それゆえ、水や雨等により濡れている表面に付着している指紋については、採取することが困難であった。
【００１０】
他方、特許文献３に記載された皮膚紋理検出剤は、水や雨等により濡れている表面に付着している皮膚紋理又は付着してから年月が経過した皮膚紋理を検出できるようにするために、本願発明者が発明したものである。本願発明者らは、この皮膚紋理検出剤の検出能力をさらに高めるために鋭意研究を行い、検体表面に付着している皮膚紋理及び検体表面の状態を調整することを見出した。
【００１１】
本発明は上述した点に鑑み案出されたもので、その目的は、水や雨等により濡れている表面に付着している皮膚紋理及び付着してから年月が経過した皮膚紋理など、従来技術では検出が困難であるものについて、さらに明瞭に検出することができる皮膚紋理検出前処理剤及び皮膚紋理検出方法を提供することにある。
【課題を解決するための手段】
【００１２】
上記課題を解決するため、本発明の皮膚紋理検出前処理剤は、リン酸二水素塩と有機酸と水とを少なくとも含む。皮膚紋理検出前処理剤とは、皮膚紋理検出剤を用いて検体表面上の皮膚紋理を検出する前に、検体表面及び皮膚紋理の状態を調整するために使用するものである。
【００１３】
本発明の皮膚紋理検出前処理剤を壁、床等の塗装面、金属、ガラス、プラスチック又は紙等の検体表面上に接触させると、検体表面に存在する金属イオンがキレート効果を有するリン酸二水素塩に捕捉される。それゆえ、検出環境や検体の素材等に存在する金属イオンの影響を受けることなく、皮膚紋理の検出を行うことができる。また、皮膚紋理検出前処理剤に配合された有機酸によって、検体表面及び皮膚紋理が好適に弱酸性に調整される。さらに、リン酸二水素塩も水に溶解して弱酸性を示すため、検体表面及び皮膚紋理が好適に弱酸性に調整される。このように、検体表面及び皮膚紋理の状態が調整されることにより、後に用いる皮膚紋理検出剤に含まれる低次酸化チタン粉体が皮膚紋理に付着しやすくなるものと考えられる。
【００１４】
また、リン酸二水素塩は、リン酸二水素ナトリウム、リン酸二水素カリウム、リン酸二水素アンモニウム、ピロリン酸二水素二ナトリウム、ピロリン酸二水素二カリウム及びピロリン酸二水素二アンモニウムからなる群より選ばれた少なくとも１種の化合物であることが好ましい。水溶性で弱酸性を示し、安全性も高いリン酸二水素アルカリ金属塩及びリン酸二水素アンモニウムが好適に選択される。
【００１５】
さらに、有機酸が、シュウ酸、クエン酸、酒石酸及びグルコン酸からなる群より選ばれた少なくとも１種の化合物であることも好ましい。キレート効果を有する有機酸を選択することで、検出環境や検体の素材等に存在する金属イオンが捕捉されて金属イオンの影響が低減する。
【００１６】
上記課題を解決するため、本発明の皮膚紋理検出方法は、皮膚紋理検出前処理剤を用いた皮膚紋理検出方法であって、皮膚紋理検出前処理剤を検体表面に接触させる工程と、低次酸化チタン粉体と非イオン性界面活性剤と酸性物質とを少なくとも含み酸性を呈する皮膚紋理検出剤を検体表面に接触させる工程とを含んでいる。
【００１７】
本発明の皮膚紋理検出前処理剤を壁、床等の塗装面、金属、ガラス、プラスチック又は紙等の検体表面上に接触させることにより、検体表面に存在する金属イオンがキレート効果を有するリン酸二水素塩及び有機酸に捕捉される。それゆえ、検出環境や検体の素材等に存在する金属イオンの影響を受けることなく、皮膚紋理の検出を行うことができる。また、皮膚紋理検出前処理剤に配合された有機酸及びリン酸二水素塩により、検体表面及び皮膚紋理が好適に弱酸性に調整される。その後、低次酸化チタン粉体と非イオン性界面活性剤と酸性物質とを少なくとも含み、酸性を呈する皮膚紋理検出剤を検体表面に接触させると、皮膚紋理は汗腺から分泌された油分を有するところ、皮膚紋理検出剤中に含まれる黒色の低次酸化チタン粉体がこの皮膚紋理の油分に付着して皮膚紋理が検出される。低次酸化チタン粉体は、二酸化チタン粉体を還元焼成して一部の酸素を取り除くことで得られるため、低次酸化チタン粉体の表面に存在する水酸基は低減しており、表面状態は二酸化チタン粉体よりも親油性を示す。したがって、低次酸化チタン粉体が僅かな皮膚紋理の油分にも付着して皮膚紋理を検出する。その際、皮膚紋理検出前処理剤によって、検体表面及び皮膚紋理の状態及び環境が好適に調整されていることから、皮膚紋理検出剤のみでは検出が困難であるものについても、明瞭に検出することができる。
【００１８】
また、皮膚紋理検出剤に配合されている非イオン性界面活性剤は低次酸化チタン粉体の分散性を高める効果を有する。非イオン性界面活性剤は、低次酸化チタン粉体が凝集してダマを作ること等を防ぎ、低次酸化チタン粉体の微粒子が液中で分散している状態を維持させる。それゆえ、皮膚紋理の油分に低次酸化チタン粉体の微粒子が付着し、鮮明な皮膚紋理が検出できる。また、皮膚紋理検出剤に配合された酸性物質が皮膚紋理検出剤を酸性に調整することにより、さらに鮮明な皮膚紋理が検出される。
【００１９】
また、酸性物質として有機酸を用いることが好ましい。一般的に弱酸である有機酸によって、皮膚紋理検出剤が好適に酸性に調整される。
【００２０】
さらに、有機酸として、シュウ酸、クエン酸、酒石酸及びグルコン酸からなる群より選ばれた少なくとも１種の化合物を用いることが好ましい。キレート効果を有する有機酸を選択することで、検出環境下に存在する金属イオン等が捕捉されて金属イオン等の影響が低減する。それゆえ、検出環境や検体の素材等の影響を受けることなく、安定した皮膚紋理の検出を行うことができる。
【発明の効果】
【００２１】
本発明によれば、以下のような優れた効果を有する皮膚紋理検出前処理剤を提供することができる。
（１）検体表面と皮膚紋理の状態及び環境を皮膚紋理の検出に好適に調整することができる。
（２）人体に安全な物質で構成されており、取り扱いが容易である。
【００２２】
本発明によれば、以下のような優れた効果を有する皮膚紋理検出方法を提供することができる。
（１）水や雨等により濡れている表面に付着している皮膚紋理又は付着してから年月が経過した皮膚紋理など、従来技術では検出が困難であるものについて、さらに明瞭に検出することができる。
（２）皮膚紋理検出前処理剤及び皮膚紋理検出剤のそれぞれを検体表面に噴霧、浸漬又は塗布することにより検出することができ、操作が簡便かつ容易である。
（３）皮膚紋理検出前処理剤及び皮膚紋理検出剤は人体に安全な物質で構成されており、取り扱いも容易である。
【発明を実施するための形態】
【００２３】
以下、本発明の実施形態について説明する。
【００２４】
皮膚紋理検出前処理剤に配合されるリン酸二水素塩とは、リン酸又は二リン酸の二水素塩であればよいが、水溶性であって、その水溶液が弱酸性を示す観点から、リン酸二水素アルカリ金属塩、リン酸二水素アンモニウム、ピロリン酸二水素アルカリ金属塩、ピロリン酸二水素アンモニウムが好ましい。さらに具体例を挙げると、リン酸二水素ナトリウム、リン酸二水素カリウム、リン酸二水素アンモニウム、ピロリン酸二水素二ナトリウム、ピロリン酸二水素二カリウム及びピロリン酸二水素二アンモニウム等が好ましく、リン酸二水素アンモニウム、リン酸二水素ナトリウム及びリン酸二水素カリウムがより好ましい。これらのリン酸二水素塩は、単独で使用することもできるが、２種以上を組み合わせて使用することもできる。
【００２５】
次に、皮膚紋理検出前処理剤に配合される有機酸とは、この皮膚紋理検出前処理剤を酸性に調整できるものであればよく、特に限定されないが、シュウ酸、クエン酸、酒石酸、グルコン酸、リンゴ酸、グリコール酸、アジピン酸、コハク酸又は乳酸等が望ましく、１種以上を組み合わせて用いることもでき、これら有機酸等の塩とも組み合わせることができる。さらに、有機酸としてキレート効果を有するシュウ酸、クエン酸、酒石酸又はグルコン酸を選択することで、検出環境や検体の素材等に存在する金属イオンが捕捉されて金属イオンの影響が低減する。それゆえ、検出環境等の影響を受けることなく、安定した皮膚紋理の検出を行うことができる。また、これらのキレート効果を有する有機酸は、後に用いる皮膚紋理検出剤に含まれる低次酸化チタン粉体の一部ともキレート形成することにより親油性又は疎水性を呈し、低次酸化チタン粉体が皮膚紋理の油分に付着し易くなることも考えられる。
【００２６】
上記皮膚紋理検出前処理剤は、有機酸及びリン酸二水素塩を配合することによって弱酸性を呈するように調整され、具体的には、皮膚紋理検出前処理剤のｐＨ値が７以下となるように、有機酸が配合されていることが好ましい。検体である対象物を保護すると共に皮膚紋理検出効果を高める観点から、皮膚紋理検出前処理剤のｐＨ値が３〜７の範囲となるように、有機酸が配合されることがより好ましく、ｐＨ値が４〜６の範囲となるように有機酸が配合されることがさらにより好ましい。有機酸はシュウ酸、クエン酸、酒石酸又はグルコン酸等の弱酸性物質であることが好ましく、皮膚紋理検出前処理剤のｐＨを弱酸で調整することにより、低次酸化チタン粉体を含む皮膚紋理検出剤の検出能力を高めると考えられる。
【００２７】
上記皮膚紋理検出前処理剤におけるリン酸二水素塩の配合量は、リン酸二水素塩が少量だと皮膚紋理が検出されず、リン酸二水素塩が多量であると検体表面の全面が皮膚紋理検出剤と反応して黒くなる観点から、０．３ｗ／ｖ％〜１０ｗ／ｖ％が好ましく、０．３ｗ／ｖ％〜３ｗ／ｖ％がさらに好ましい。また、有機酸の配合量については、皮膚紋理検出前処理剤のｐＨを所定の値に調整できればよく、有機酸の種類によっても異なるが、０．１ｗ／ｖ％〜１０ｗ／ｖ％が好ましく、０．３ｗ／ｖ％〜５ｗ／ｖ％がさらに好ましい。
【００２８】
皮膚紋理検出前処理剤を構成する水は、水道水等の水が好適に用いられる。具体的には、水に所定量のリン酸二水素塩と有機酸とを添加して混合することにより、皮膚紋理検出前処理剤が得られる。また、この皮膚紋理検出前処理剤には、水溶液の緩衝能の向上又は他の目的のために、さらに他の物質を添加してもよい。
【００２９】
次に、上述の皮膚紋理検出前処理剤を用いた本発明の皮膚紋理検出方法について説明する。
【００３０】
まず、皮膚紋理検出前処理剤を検体表面に接触させる工程について説明する。皮膚紋理が付着していると思われる壁、床等の塗装面、金属、ガラス、プラスチック又は紙等の検体表面に対し、本発明の皮膚紋理検出前処理剤を接触させる。接触は、本発明の皮膚紋理検出前処理剤をスプレーボトルに充填し、検体表面に噴霧すること、皮膚紋理検出前処理剤を充分に含ませた刷毛等で検体表面に塗布すること、皮膚紋理検出前処理剤をスポイト等で検体表面に垂らすこと、又は検体表面を皮膚紋理検出前処理剤を満たした容器に浸漬させること等により行われる。皮膚紋理検出前処理剤と検体表面とは十分に接触することが望ましく、接触時間としては検体表面の状況により異なるが、１０秒以上が好ましく、３０秒以上がより好ましい。
【００３１】
本発明の皮膚紋理検出前処理剤を検体表面上に接触させることにより、検体表面に存在する金属イオンがキレート効果を有するリン酸二水素塩及び有機酸に捕捉される。それゆえ、検出環境や検体の素材等に存在する金属イオンの影響を受けることなく、皮膚紋理の検出を行うことができる。また、皮膚紋理検出前処理剤に配合された有機酸及びリン酸二水素塩により、検体表面及び皮膚紋理が好適に弱酸性に調整される。
【００３２】
なお、検体表面に皮膚紋理検出前処理剤を接触させたのち、次の工程で皮膚紋理検出剤を使用する前に、水道水や脱イオン水、蒸留水等で検体表面を洗い流し、余剰の皮膚紋理検出前処理剤を除去してもよい。
【００３３】
次に、皮膚紋理検出剤を検体表面に接触させる工程について説明する。皮膚紋理検出前処理剤が接触した検体表面に、低次酸化チタン粉体と非イオン性界面活性剤と酸性物質とを少なくとも含み酸性を呈する皮膚紋理検出剤を検体表面に接触させる。接触は、本発明の皮膚紋理検出剤をスプレーボトルに充填し、検体表面に噴霧すること、皮膚紋理検出剤を充分に含ませた刷毛等で検体表面に塗布すること、皮膚紋理検出剤をスポイト等で対象物に垂らすこと、又は検体表面を皮膚紋理検出剤を満たした容器に浸漬させること等により行われる。皮膚紋理検出剤と検体表面とは十分に接触することが望ましく、接触時間としては検体表面の状況により異なるが、１０秒以上が好ましく、３０秒以上がより好ましい。
【００３４】
低次酸化チタン粉体と非イオン性界面活性剤と酸性物質とを少なくとも含み、酸性を呈する皮膚紋理検出剤を検体表面に接触させると、皮膚紋理は汗腺から分泌された油分を有するところ、皮膚紋理検出剤中に含まれる黒色の低次酸化チタン粉体がこの皮膚紋理の油分に付着して皮膚紋理が検出される。低次酸化チタン粉体は、二酸化チタン粉体を還元焼成して一部の酸素を取り除くことで得られるため、低次酸化チタン粉体の表面に存在する水酸基は低減しており、表面状態は二酸化チタン粉体よりも親油性を示す。したがって、低次酸化チタン粉体が僅かな皮膚紋理の油分にも付着して皮膚紋理を検出する。その際、皮膚紋理検出前処理剤によって、検体表面及び皮膚紋理の状態及び環境が検出に好適に調整されていることから、皮膚紋理検出剤のみでは検出が困難であるものについても、明瞭に検出することができる。
【００３５】
ここで、低次酸化チタンとは、一般式ＴｉＯｘＮｙで示される酸窒化チタンや、一般式ＴｉｎＯ２ｎ−１で示される還元酸化チタン等のチタン系黒色顔料、いわゆるチタンブラックのことをいう。特に限定されないが、具体的には、チタンブラック１２Ｓ、チタンブラック１３Ｍ、チタンブラック１３Ｍ−Ｃ（三菱マテリアル電子化成株式会社製品）、ティラックＤ（赤穂化成株式会社製品）等が挙げられる。本発明においては、粉体の表面状態が親油性の場合に皮膚紋理の油分への粉体の付着が容易となる観点から、低次酸化チタン粉体の表面状態につき、酸化チタン粉体より親油性を有するものが好適に用いられる。また、本発明に用いるチタンブラック等の低次酸化チタン粉体の粒子径は、皮膚紋理の油分への付着性及び分散性の観点から、０．０１μｍ〜１００μｍであることが好ましく、更に０．０２μｍ〜１０μｍであることが好ましい。
【００３６】
さらに、皮膚紋理検出剤に配合されている非イオン性界面活性剤とは、チタンブラック等の低次酸化チタン粉体を液体中に充分に分散させることができるものであればよく、例えば、ソルビタンモノラウレート又はソルビタンモノパルミテート等のソルビタン脂肪酸エステル、ポリオキシエチレンソルビタンモノステアレート又はポリオキシエチレンソルビタントリステアレート等のポリオキシエチレンソルビタン脂肪酸エステル、ポリオキシエチレンラウリルエーテル又はポリオキシエチレンステアリルエーテル等のポリオキシエチレンアルキルエーテル、テトラオレイン酸ポリオキシエチレンソルビット等のポリオキシエチレンソルビトール脂肪酸エステル、グリセロールモノステアレート等のグリセリン脂肪酸エステル、ポリエチレングリコールモノラウレート又はポリエチレングリコールモノオレエート等のポリオキシエチレン脂肪酸エステル、ポリオキシアルキレン誘導体、ポリオキシエチレン硬化ヒマシ油、ポリオキシエチレンアルキルアミン並びにアルキルアルカノールアミド等が挙げられる。これらの非イオン性界面活性剤は、単独で使用してもよく、２種以上を組み合わせて使用してもよい。
【００３７】
配合されている非イオン性界面活性剤のＨＬＢ値は、非イオン性界面活性剤の親水親油バランスが低次酸化チタン粉体と皮膚紋理の油分とを密着するように調整する観点から、８〜１３．５であることが好ましい。さらに、非イオン性界面活性剤の親水親油バランスが低次酸化チタン粉体と皮膚紋理の油分とをさらにより密着するように調整する観点から、ＨＬＢ値は８．６〜１２．５であることがより好ましい。
【００３８】
皮膚紋理検出剤に配合される酸性物質は、皮膚紋理検出剤を酸性に調整できるものであればよく、無機酸又は有機酸のいずれも使用することができるが、一般的に弱酸性物質であって、人体への影響も少ない観点から、有機酸が好ましい。有機酸としては、特に限定されないが、シュウ酸、クエン酸、酒石酸、グルコン酸、リンゴ酸、グリコール酸、アジピン酸、コハク酸又は乳酸等が望ましく、１種以上を組み合わせて用いることもでき、これら有機酸等の塩とも組み合わせることができる。さらに、有機酸としてキレート効果を有するシュウ酸、クエン酸、酒石酸又はグルコン酸を選択することで、検出環境下に存在する金属イオン等が捕捉されて金属イオン等の影響が低減し、検出環境等の影響を受けることなく、安定した皮膚紋理の検出を行うことができる。
【００３９】
上記皮膚紋理検出剤は、酸性物質を配合することによって酸性を呈するように調整され、具体的には、皮膚紋理検出剤のｐＨ値が４．５以下となるように、酸性物質が配合されていることが好ましい。検体である対象物を保護すると共に皮膚紋理検出効果を高める観点から、皮膚紋理検出剤のｐＨ値が２．５〜４．５の範囲となるように、酸性物質が配合されることがより好ましく、ｐＨ値が３．０〜３．６の範囲となるように酸性物質が配合されることがさらにより好ましい。酸性物質はシュウ酸、クエン酸、酒石酸又はグルコン酸等の弱酸性物質であることが好ましく、皮膚紋理検出剤のｐＨを弱酸で調整することにより、低次酸化チタン粉体の分散性及び界面活性剤の効果を高めると考えられる。
【００４０】
皮膚紋理検出剤を構成する液体は、低次酸化チタン粉体を分散させることができるものであればよいが、水道水等の水が好適に用いられる。具体的には、水に低次酸化チタン粉体と非イオン性界面活性剤とを添加して混合分散させることにより、分散液が得られる。また、この分散液には、分散性を向上又は他の目的のために、さらに水溶性又は不溶性の物質を添加してもよい。
【００４１】
皮膚紋理検出剤における低次酸化チタン粉体の配合量は、低次酸化チタン粉体が少量だと皮膚紋理が検出されず、低次酸化チタン粉体が多量であると対象物全面が黒くなる観点から、１〜２０重量％が好ましく、３〜１０重量％がさらに好ましい。非イオン性界面活性剤の配合量については、非イオン性界面活性剤が少量だと分散性が弱く、非イオン性界面活性剤が多量であると溶解して気泡が立つ観点から、０．００５重量％〜５重量％が好ましく、０．０１重量％〜１重量％がさらに好ましい。また、酸性物質の配合量については、皮膚紋理検出剤のｐＨを所定の値に調整できればよく、酸性物質の性質によっても異なるが、０．０５重量％〜１０重量％が好ましく、０．１重量％〜５重量％がさらに好ましい。
【００４２】
なお、上記の皮膚紋理検出剤により、検体表面上の皮膚紋理が検出された後には、検体表面に残存する余剰の皮膚紋理検出剤は、水道水等で洗い流すことによって除去される。皮膚紋理の油分と皮膚紋理検出剤中に含まれる低次酸化チタン粉体とが密着しているために、余剰の皮膚紋理検出剤のみを洗い流すことができる。それゆえ、検出された皮膚紋理の周囲汚染を防ぎ、検出される皮膚紋理を明瞭なものとすることができる。
【００４３】
以下、実施例を用いて、本発明を詳細に説明する。
【実施例１】
【００４４】
１．皮膚紋理検出前処理剤と皮膚紋理検出効果について
【００４５】
適量の水にリン酸二水素カリウム０．５ｇとリン酸二水素アンモニウム０．５ｇとクエン酸１ｇとを添加して溶解させたのち、この溶液に水を加えて１００ｍＬとし、皮膚紋理検出前処理剤とした。次に、１００ｍＬの水に、チタンブラック（三菱マテリアル電子化成株式会社製品）７ｇとクエン酸１ｇとポリオキシエチレンアルキルエーテル（ＨＬＢ値：８．６）０．０５ｍＬとを添加して混合し、皮膚紋理検出剤を作成した。
【００４６】
あらかじめ水に濡らした鉄板に掌を押しつけ、指紋及び掌紋を鉄板に付着させた。台所用合成洗剤をスポンジに取って泡だてたのち、鉄板全体を洗剤のついたスポンジで洗い、多量の水で洗い流した。５分後、この鉄板に上述のように作成して得た皮膚紋理検出前処理剤をスプレーボトルを用いて全体に行き渡るように吹き掛けた。１分後、上述のように作成して得た皮膚紋理検出剤を入れた容器の中に鉄板を浸し、３分間静置した後、鉄板を取り出して水道水で洗い、余剰の皮膚紋理検出剤を洗い流した。鉄板上に検出された指紋及び掌紋の検出状況を目視で確認した（試験１）。また、上記同様の方法で準備した鉄板について、皮膚紋理検出前処理剤を使用せず、皮膚紋理検出剤のみで指紋及び掌紋の検出を試みたものについて、指紋及び掌紋の検出状況を目視で確認した（試験２）。検出状況の評価は以下４段階で行った。◎：指紋及び掌紋の紋様が明確に認められる、○：指紋及び掌紋の紋様が認められる、△：曖昧な部分を有するが、指紋等の紋様が一部認められる、×：指紋等の紋様が認められない。
【００４７】
【表１】
0004703778.tif 000002
【００４８】
表１の結果より、皮膚紋理検出前処理剤で検体表面を処理したのちに皮膚紋理検出剤を用いることにより、皮膚紋理が付着した部分を洗剤で洗った後の検体表面からも、皮膚紋理の検出が可能となることがわかった。このように、皮膚紋理検出前処理剤を用いることにより、通常では検出が困難な状態にある皮膚紋理が検出可能となる。
【実施例２】
【００４９】
２．皮膚紋理検出前処理剤に含まれる成分の配合と皮膚紋理検出効果について
【００５０】
以下表２に示す配合で、適量の水にリン酸二水素塩や酸等を種々添加して溶解させたのち、溶液に水を加えて１００ｍＬとし、皮膚紋理検出前処理剤とした（試験Ｎｏ．１〜１２）。次に、１００ｍＬの水に、チタンブラック（三菱マテリアル電子化成株式会社製品）７ｇとクエン酸１ｇとポリオキシエチレンアルキルエーテル（ＨＬＢ値：８．６）０．０５ｍＬとを添加して混合し、皮膚紋理検出剤を作成した。
【００５１】
あらかじめ水に濡らした鉄板に掌を押しつけ、指紋及び掌紋を鉄板に付着させた。台所用合成洗剤をスポンジに取って泡だてたのち、鉄板全体をスポンジで洗い、多量の水で洗い流した。５分後、この鉄板に上述のように作成して得た各皮膚紋理検出前処理剤をスプレーボトルを用いて全体に行き渡るように吹き掛けた。１分後、皮膚紋理検出剤を入れた容器の中に鉄板を浸し、３分間静置した後、鉄板を取り出して水道水で洗い、余剰の皮膚紋理検出剤を洗い流した。鉄板上に検出された指紋及び掌紋の検出状況を目視で確認した。評価は以下４段階で行った。◎：指紋及び掌紋の紋様が明確に認められる、○：指紋及び掌紋の紋様が認められる、△：曖昧な部分を有するが、指紋等の紋様が一部認められる、×：指紋等の紋様が認められない。
【００５２】
【表２】
0004703778.tif 000003
【００５３】
表２の結果より、リン酸二水素塩水溶液について、塩酸等の無機塩ではなく、有機酸が配合されることにより、明瞭な皮膚紋理の検出が可能となることが分かった。さらに、配合されるリン酸二水素塩については、リン酸二水素アルカリ金属塩でもリン酸二水素アンモニウムでも明瞭な皮膚紋理の検出が可能となり、さらにリン酸二水素アンモニウムを選択することで、特に明瞭な皮膚紋理の検出が可能となることが分かった。
【００５４】
本発明は、上記の実施形態又は実施例に限定されるものでなく、特許請求の範囲に記載された発明の要旨を逸脱しない範囲内での種々、設計変更した形態を技術的範囲に含まれるものである。
【要約】
【課題】水や雨等により濡れている表面に付着している皮膚紋理及び付着してから年月が経過した皮膚紋理であって、従来技術では検出が困難であるものについて、さらに明瞭に検出することができる皮膚紋理検出前処理剤及び皮膚紋理検出方法を提供する。
【解決手段】皮膚紋理検出前処理剤は、リン酸二水素塩と有機酸と水とを少なくとも含む。
【選択図】なし